(57)【要約】【課題】使用者が携帯する携帯端末装置が、該使用者が関心を持つ特定対象の存在位置環境に接近したことを、該使用者に的確に通知すること。【解決手段】通信部１１０と、ＧＰＳ受信装置１１１と、アプリケーション部１０２と、一時データ記憶部１０３と、使用者が関心を有する関心事項をデータとして記憶する興味データ記憶部と、使用者が関心を有する関心事項を分析して情報を抽出し、該抽出した情報を興味データ記憶部１０６に格納する興味パターン解析部１０５と、一時データ記憶部１０３に格納された格納データに、興味データ記憶部１０６に格納された情報と関連性の高いデータが含まれているか否かを自装置の所在位置情報まで含めて判定する興味パターン検出部１０４と、興味パターン検出部１０４による判定により、関連性の高いデータが含まれていると判定された時に、該データと共に判定結果を出力する出力部１０９とを備える。【選択図】図１
2014192780.tif 000002
【特許請求の範囲】
【請求項１】
他装置とのネットワークを介した通信を実行する通信部と、
自装置の物理的な所在位置情報を取得するＧＰＳ受信装置と、
アプリケーションを実行するアプリケーション部と、
自装置の起動中に生成されたデータを一時的に記憶する一時データ記憶部と、
使用者が関心を有する関心事項をデータとして記憶する興味データ記憶部と、
使用者が関心を有する関心事項を分析して情報を抽出し、該抽出した情報を前記興味データ記憶部に格納する興味パターン解析部と、
前記一時データ記憶部に格納された格納データに、前記興味データ記憶部に格納された情報と関連性の高いデータが含まれているか否かを自装置の所在位置情報まで含めて判定する興味パターン検出部と、
前記興味パターン検出部による前記判定により、前記関連性の高いデータが含まれていると判定された時に、該データと共に判定結果を出力する出力部と
を備える携帯端末装置。
【請求項２】
前記興味パターン検出部による前記判定により、前記関連性の高いデータが含まれていると判定された時に、所定のアプリケーションを実行する
請求項１に記載の携帯端末装置。
【請求項３】
一時データ記憶部は、アプリケーションの実行中に発生するデータを一時的に格納する
請求項１又は２に記載の携帯端末装置。
【請求項４】
前記興味パターン解析部は、使用者によるアプリケーションの利用状態から、使用者が興味を有する関心事項のキーワードを分析して抽出し、該抽出したキーワードを前記興味データ記憶部に格納する
請求項１から３のいずれか一項に記載の携帯端末装置。
【請求項５】
前記興味パターン検出部は、前記一時データ記憶部に格納されているデータを前記興味データ記憶部に格納されているデータと照合し、更に自装置の所在位置を参照して、前記一時データ記憶部に格納されているデータに、使用者が興味を有する関心事項と関連性の高いデータが含まれているか否かを判定する
請求項１から４のいずれか一項に記載の携帯端末装置。
【請求項６】
前記興味パターン検出部は、別途に設定される自装置の現在の動作モードに従って、その動作開始をオン／オフ指定する
請求項１から５のいずれか一項に記載の携帯端末装置。
【請求項７】
使用者がデータを入力することができる入力部を更に備え、使用者は、該入力部を介して、前記興味データ記憶部への格納データを入力する
請求項６に記載の携帯端末装置。
【請求項８】
使用者は、前記入力部を介して、前記動作モードを設定する
請求項７に記載の携帯端末装置。
【請求項９】
他装置とのネットワークを介した通信を実行する通信部と、自装置の物理的な所在位置情報を取得するＧＰＳ受信装置と、アプリケーションを実行するアプリケーション部と、自装置の起動中に生成されたデータを一時的に記憶する一時データ記憶部とを備えた携帯端末装置に適用される特定位置環境の通知方法であって、
使用者が関心を有する関心事項をデータとして記憶する興味データ記憶段階と、
使用者が関心を有する関心事項を分析して情報を抽出し、該抽出した情報を興味データ記憶部に格納する興味パターン解析段階と、
前記一時データ記憶部に格納された格納データに、前記興味データ記憶部に格納された情報と関連性の高いデータが含まれているか否かを自装置の所在位置情報まで含めて判定する興味パターン検出段階と、
前記興味パターン検出段階による前記判定により、前記関連性の高いデータが含まれていると判定された時に、該データと共に判定結果を出力する出力段階と
を備える特定位置環境の通知方法。
【請求項１０】
他装置とのネットワークを介した通信を実行する通信部と、自装置の物理的な所在位置情報を取得するＧＰＳ受信装置と、アプリケーションを実行するアプリケーション部と、自装置の起動中に生成されたデータを一時的に記憶する一時データ記憶部とを備えた携帯端末装置として、コンピュータを機能させるプログラムであって、
前記コンピュータを、
使用者が関心を有する関心事項をデータとして記憶する興味データ記憶部、
使用者が関心を有する関心事項を分析して情報を抽出し、該抽出した情報を前記興味データ記憶部に格納する興味パターン解析部、
前記一時データ記憶部に格納された格納データに、前記興味データ記憶部に格納された情報と関連性の高いデータが含まれているか否かを自装置の所在位置情報まで含めて判定する興味パターン検出部、
前記興味パターン検出部による前記判定により、前記関連性の高いデータが含まれていると判定された時に、該データと共に判定結果を出力する出力部
として機能させるプログラム。
【発明の詳細な説明】
【技術分野】
【０００１】
本発明は、携帯端末装置、特定位置環境の通知方法、及びプログラムに関する。
【背景技術】
【０００２】
近年、ソーシャルネットワークサービス（Ｓｏｃｉａｌ  Ｎｅｔｗｏｒｋｉｎｇ  Ｓｅｒｖｉｃｅ、以下、単に「ＳＮＳ」と略称する）が普及している。このため、スマートフォンなどの携帯端末装置の使用者は、この携帯端末装置から、当該端末装置によって取得した情報を、ＳＮＳを介して気軽に発信する機会が増えている。よって、当該携帯端末装置の使用者から見て興味が有り、かつ投稿記事に成り得る対象や関連サービスが、端末使用者の付近に存在している場合は、該端末使用者がこれに気付かずに投稿機会を逃してしまうようなことは避けたいといったニーズが増えている。
【０００３】
このような背景に関連する技術としては、様々なものが知られている（例えば、特許文献１参照。）。
【０００４】
例えば、特許文献１には、コンテンツをプレフェッチする方法が記載されている。このシステム及び方法では、移動ターミナルの特性及びその追跡された使用に基づいて移動ターミナルに対するコンテンツをプレフェッチする。具体的には、追跡された使用の特性及びパターンから移動ユーザプロフィールが生成される。追跡された使用情報は、コンテンツが要求された時間、位置、頻度を含む。移動ユーザプロフィールの情報に基づき、移動装置が同様の要求をなすのを見越して、以前に要求されたコンテンツと同様のコンテンツがプレフェッチされ、キャッシュ処理される。プレフェッチは、あるコンテンツが以前に要求された位置に移動ターミナルが戻るようなトリガー事象に基づいて行われても良い。更に、プレフェッチは、ポータルを経てコンテンツにアクセスする別の電子装置の使用を指示する関連する一般的ユーザプロフィールに基づいても良い。
【先行技術文献】
【特許文献】
【０００５】
【特許文献１】特表２００８−５４３２４９号公報
【発明の概要】
【発明が解決しようとする課題】
【０００６】
ところで、ＳＮＳの利用形態として、携帯端末装置の使用者（以下、「端末使用者」と略称することがある）が関心を持っている事柄について、当該携帯端末装置から、上記事柄に関する情報を、ＳＮＳを介して投稿する場合が挙げられる。このような利用形態の使用者は、既にＳＮＳを利用した体験に基づいて、これからも、自己の関心テーマに沿った情報収集を行ったり現実体験したりするものと推察される。あるいは上記形態でのＳＮＳ利用は、これからも上記形態でのＳＮＳ利用を行うことを意図して、自己の関心テーマに沿った情報収集を行ったり現実体験したりするものと予想される。
【０００７】
しかしながら、このような利用形態の端末使用者にあっては、その日常生活において行動目的が時々の事情により変化するため、該使用者の或る時の或る行動が、偶然にも該使用者の他の関心事項と近い状況を招来したことには気付かない場合が存在する。よって、このような場合には、当該端末使用者は、自己の知的な体験機会や、現実の体験機会を逃してしまうことになるといった問題点が有った。
【０００８】
なお、前述の特許文献１に記載の技術については、より多くの経験機会の取得を期待している端末使用者に対して、現実行動のサポートをすることができない。
【０００９】
本発明の目的は、上述した課題を解決する携帯端末装置、特定位置環境の通知方法、及びプログラムを提供することにある。
【課題を解決するための手段】
【００１０】
上記課題を解決するために、本発明の第１の形態によると、携帯端末装置であって、他装置とのネットワークを介した通信を実行する通信部と、自装置の物理的な所在位置情報を取得するＧＰＳ受信装置と、アプリケーションを実行するアプリケーション部と、自装置の起動中に生成されたデータを一時的に記憶する一時データ記憶部と、使用者が関心を有する関心事項をデータとして記憶する興味データ記憶部と、使用者が関心を有する関心事項を分析して情報を抽出し、該抽出した情報を興味データ記憶部に格納する興味パターン解析部と、一時データ記憶部に格納された格納データに、興味データ記憶部に格納された情報と関連性の高いデータが含まれているか否かを自装置の所在位置情報まで含めて判定する興味パターン検出部と、興味パターン検出部による判定により、関連性の高いデータが含まれていると判定された時に、該データと共に判定結果を出力する出力部とを備える。
【００１１】
本発明の第２の形態によると、他装置とのネットワークを介した通信を実行する通信部と、自装置の物理的な所在位置情報を取得するＧＰＳ受信装置と、アプリケーションを実行するアプリケーション部と、自装置の起動中に生成されたデータを一時的に記憶する一時データ記憶部とを備えた携帯端末装置に適用される特定位置環境の通知方法であって、使用者が関心を有する関心事項をデータとして記憶する興味データ記憶段階と、使用者が関心を有する関心事項を分析して情報を抽出し、該抽出した情報を興味データ記憶部に格納する興味パターン解析段階と、一時データ記憶部に格納された格納データに、興味データ記憶部に格納された情報と関連性の高いデータが含まれているか否かを自装置の所在位置情報まで含めて判定する興味パターン検出段階と、興味パターン検出段階による判定により、関連性の高いデータが含まれていると判定された時に、該データと共に判定結果を出力する出力段階とを備える。
【００１２】
本発明の第３の形態によると、他装置とのネットワークを介した通信を実行する通信部と、自装置の物理的な所在位置情報を取得するＧＰＳ受信装置と、アプリケーションを実行するアプリケーション部と、自装置の起動中に生成されたデータを一時的に記憶する一時データ記憶部とを備えた携帯端末装置として、コンピュータを機能させるプログラムであって、コンピュータを、使用者が関心を有する関心事項をデータとして記憶する興味データ記憶部、使用者が関心を有する関心事項を分析して情報を抽出し、該抽出した情報を興味データ記憶部に格納する興味パターン解析部、一時データ記憶部に格納された格納データに、興味データ記憶部に格納された情報と関連性の高いデータが含まれているか否かを自装置の所在位置情報まで含めて判定する興味パターン検出部、興味パターン検出部による判定により、関連性の高いデータが含まれていると判定された時に、該データと共に判定結果を出力する出力部として機能させる。
【００１３】
なお、上記の発明の概要は、本発明の特徴の全てを列挙したものではない。また、これらの特徴群のサブコンビネーションもまた、発明となり得る。
【発明の効果】
【００１４】
以上の説明から明らかなように、この発明によっては、使用者が携帯する携帯端末装置が、該使用者が関心を持つ特定対象の存在位置環境に接近したことを、該使用者に的確に通知することができる。この効果により、例えば、ＳＮＳ等を利用する使用者が関心を持つ或るテーマについて、使用者がそのテーマに関する情報源に接近したことを使用者に自動的に通知することができる。
【００１５】
また、上記の効果により、使用者が情報収集機会を見逃すことによる損失の発生を防ぐことができる。また、使用者の現実的な生活体験の質を向上させることができる。さらには、ＳＮＳ等のサービスシステムの有効活用を促進することができる。
【図面の簡単な説明】
【００１６】
【図１】一実施形態に係る携帯端末装置の全体構成を示す構成図である。
【図２】携帯端末装置の動作を示すフローチャート図である。
【図３】興味データ記憶部１０６に格納される使用者が関心を持つ関心事項の１例を示す説明図である。
【図４】使用者が関心を持つ関心事項についてのパターン照合開始条件の１例を示す説明図である。
【図５】アプリケーションプログラムの実行中に発生し、一時データ記憶部１０３に格納するデータを例示する説明図である。
【発明を実施するための形態】
【００１７】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１８】
図１は、一実施形態に係る携帯端末装置の全体構成を示す構成図である。携帯端末装置の特徴は、ＳＮＳなどを利用してメッセージを投稿する機能を有することである。この機能を実現するため、本携帯端末装置は、端末装置使用者（以下、「端末使用者」または単に「使用者」と略称する）が関心を持っている事柄を蓄積したデータベースを備える。また、本携帯端末装置は、自己の位置情報や起動中のアプリケーションなどを介して得られた自己の使用状況から判断して、上記データベースの内容と高い関連性を有する項目を検出する。さらに、本携帯端末装置は、上記の検出結果に基づいて、自己の使用者が、該使用者が有する関心事項が取得できる場所や環境に近い地点に移動した場合は、その旨を該使用者へ通知する。この通知により、該使用者は、例えばＳＮＳ投稿テーマの投稿機会を見逃すことが無くなる。
【００１９】
図１において、本実施形態の携帯端末装置１００は、全体を制御する制御部１０１、アプリケーションを実行するアプリケーション部１０２、一時的にデータを記憶する一時データ記憶部１０３、他の装置との通信を行う通信部１１０、を備える。
【００２０】
また、本実施形態の携帯端末装置１００は、ＧＰＳにより自己の位置を取得するＧＰＳ受信機１１１、被写体を撮影するカメラ１１２、本端末装置の使用者の関心事項のパターンを検出する興味パターン検出部１０４、を備える。
【００２１】
さらに、本実施形態の携帯端末装置１００は、本端末装置の使用者の関心事項のパターンを解析する興味パターン解析部１０５、本端末装置の使用者が関心を有するデータを記憶する興味データ記憶部１０６、及びユーザーインターフェース部１０７、を備える。なお、ユーザーインターフェース部１０７は、入力部１０８及び出力部１０９を備える。
【００２２】
以下、本実施形態の携帯端末装置１００の各構成要素の機能を説明する。制御部１０１は、携帯端末装置１００全体の構成要素を制御する。アプリケーション部１０２は、制御部１０１が実行する様々なアプリケーションプログラムを格納する。ここで、このアプリケーションプログラムとしては、例えば、ブラウザ、音楽・動画再生ソフト、ＧＰＳ受信機１１１を用いたナビゲーション、カメラ１１２を用いた撮影アプリなどとする。
【００２３】
一時データ記憶部１０３は、アプリケーションプログラムの実行中に発生するデータを一時的に格納する。興味パターン検出部１０４は、一時データ記憶部１０３のデータを興味データ記憶部１０６に格納されているデータと照合し、関連性の高いデータが含まれているか否かを判定し、関連性の高いデータが検出された場合には制御部１０１に通知する。ここで、この興味パターン検出部１０４は、一時データ記憶部１０３に格納されている複数のデータを興味データ記憶部１０６に格納されているデータと照合し、関連性の高いデータが含まれるか否かを判定するように構成することも可能である。
【００２４】
興味パターン解析部１０５は、アプリケーションの利用状態、一時データ記憶部１０３の格納内容などから、使用者が興味を有する関心事項のキーワード等を分析して抽出し、該抽出したキーワードを興味データ記憶部１０６に格納する。より具体的には、興味データ記憶部１０６は、使用者が興味を有する関心事柄のキーワードを蓄積するデータベースとなっており、使用者が興味を有する関心事項のキーワードや、アプリケーションの利用頻度などを格納する。
【００２５】
ユーザーインターフェース部１０７は、起動中のプログラムに従って入力部１０８からの使用者による入力操作を受け付ける。入力部１０８は、例えば、キーボタン、タッチパネル、マイクなどで構成することが可能である。出力部１０９は、上記入力操作の結果や、後述する興味パターン検出部１０４による判定結果等を表示する。出力部１０９は、例えば、液晶、有機ＥＬなどのディスプレイ装置、スピーカー、バイブレータなどで構成することが可能である。
【００２６】
通信部１１０は、データの暗号化・復号化、変調・復調といった信号処理を行い、携帯端末装置１００を携帯網や無線ＬＡＮを介してインターネット接続する。
【００２７】
図２は、携帯端末装置の動作を示すフローチャート図である。以下、図１を参照しながら、図２に示すフローチャートを用いて携帯端末装置１００の動作を説明する。まず、興味パターン解析部１０５は、制御部１０１によって起動された時、動作中のアプリケーションプログラムから発生する様々なデータの内から、使用者が関心を持つ関心事項に関するデータを生成し、興味データ記憶部１０６に格納する（ステップＳ１０１）。
【００２８】
図３は、興味データ記憶部１０６に格納される使用者が関心を持つ関心事項の１例を示す説明図である。図３に示すような使用者の関心事項のデータは、興味パターン解析部１０５が、ＷＥＢ検索語、スケジュール帳アプリ、時刻表アプリ等を参照した結果として生成されるものである。但し、図３に示すような関心事項のデータは、使用者の入力部１０８を介した入力操作によって直接的にデータ入力して興味データ記憶部１０６に格納させることも可能である。
【００２９】
次に、制御部１０１は、現在の動作モードが、パターン照合を行うことによって興味パターンの検出が開始できる条件（パターン照合開始条件）を示す動作モードであるか否かを検証する（ステップＳ１０２）。現在の動作モードが、パターン照合開始条件に適合している場合は、制御部１０１は、興味パターン検出部１０４の動作開始をオンに設定する。
【００３０】
図４は、使用者が関心を持つ関心事項についてのパターン照合開始条件の１例を示す説明図である。同図に示すとおり、「自動」モードの場合は常に検出動作が可能であり、「半自動」モードでは所定の幾つかのアプリケーションのいずれかが実行中の場合に検出動作が可能である。また、「手動」モードでは、使用者の入力部１０８を介した入力操作により、直接的に興味パターン検出部１０４の動作オン／オフを指定することができる。また、「ＯＦＦ」モードでは検出動作をとることができない。なお、上記の動作モード自体は、使用者の入力部１０８を介した入力操作により設定される。また、図５は、アプリケーションプログラムの実行中に発生し、一時データ記憶部１０３に格納するデータを例示する説明図である。
【００３１】
興味パターン検出部１０４は、図４に示すパターン照合開始条件に鑑みて、現在の動作モードが、興味パターン検出の開始が可能な動作モードである場合は、一時データ記憶部１０３のデータを興味データ記憶部１０６に格納されているデータと照合する（ステップＳ１０３）。上述のとおり、一時データ記憶部１０３には、図５に例示するようなアプリケーションプログラムの実行中に発生するデータが一時的に格納されている。また、興味データ記憶部１０６には、図３に例示するような使用者が関心を持つ関心事項が格納されている。
【００３２】
興味パターン検出部１０４は、上記照合により、一時データ記憶部１０３に、使用者の関心事項と関連性の高いデータが含まれているか否かを検証する（ステップＳ１０４）。ここでは、現在実行中のアプリケーションを、地図アプリ、ＧＰＳ、電子書籍アプリ、電子マネーアプリ、ブラウザ、及び時計とする。以下、図３及び図５を参照して、使用者の関心事項と関連性の高いデータが含まれているか否かを検証する具体的な判定方法について説明する。
【００３３】
例えば、ＧＰＳ受信機１１１を介して得られた使用者の現在位置情報と、図５に示すようなラーメン屋「○○家」、レストラン「□□」といった具体的な対象との位置情報を比較する。両者の位置情報が近い場合、興味パターン検出部１０４は、当該使用者は、該使用者が、該使用者の関心事項と関連性が高いデータを取得できる位置に存在していると判定する。なお、興味パターン検出部１０４については、営業時間や定休日の情報（属性情報）も更に付加して、上記の関連性が高いデータの内、現在日時に合致するデータについてのみ、両者のデータは関連性が高いと判定するように構成することも可能である。
【００３４】
最後に、興味パターン検出部１０４は、上記の判定で、使用者の関心事項と関連性が高いと判定されたデータが検出された場合に、この判定結果を上記のデータ等と共に制御部１０１に通知する（ステップＳ１０５）。この通知を受けた後、制御部１０１は、上記判定結果を上記のデータ等と共に出力部１０９に表示させる。なお、この通知を受けた後、制御部１０１は、ＳＮＳアプリなどを起動させても良い。これにより、例えば、位置情報が付加されたＳＮＳ記事がデータベースに格納されているものとすると、使用者の現在位置がその位置情報と合致する場合には、当該使用者は、このＳＮＳ記事に対して投稿したり応答したりする機会を的確に得ることができる。
【００３５】
本実施の形態に係る携帯端末装置によれば、使用者が携帯する携帯端末装置が、該使用者が関心を持つ特定対象の存在位置環境に接近したことを、該使用者に的確に通知することができる効果が有る。この効果により、例えば、ＳＮＳ等を利用する使用者が関心を持つ或るテーマについて、使用者がそのテーマに関する情報源に接近したことを該使用者に自動的に通知することができる。ここで、このテーマは、使用者が一時的に関心を持つテーマであっても良いし、あるいは強くは意識しないテーマであっても良い。これにより、使用者が情報収集機会を見逃すことによる損失の発生を防ぐことができる。また、使用者の現実的な生活体験の質を向上させることができる。さらには、ＳＮＳ等のサービスシステムの有効活用を促進することができる。
【００３６】
（他の実施の形態）：上述の実施形態では、興味データ記憶部１０６及び興味パターン解析部１０５を携帯端末装置１００の内部に実装したが、これらの構成要素を端末装置の外部装置として設け、該外部装置とは適当な通信部（通信部１１０とは限らない）を介してデータのやり取りをするようにしても良い。
【符号の説明】
【００３７】
１００  携帯端末装置
１０１  制御部
１０２  アプリケーション部
１０３  一時データ記憶部
１０４  興味パターン検出部
１０５  興味パターン解析部
１０６  興味データ記憶部
１０７  ユーザーインターフェース部
１０８  入力部
１０９  出力部
１１０  通信部
１１１  ＧＰＳ受信機
１１２  カメラ
【図１】
2014192780.tif 000003
【図２】
2014192780.tif 000004
【図３】
2014192780.tif 000005
【図４】
2014192780.tif 000006
【図５】
2014192780.tif 000007